(57)【要約】【課題】読取対象である原稿に対して印刷を実行する場合に、読み取りにより判定した原稿の色属性に応じて印刷を調整する印刷装置、その制御方法及びプログラムを提供する。【解決手段】本印刷装置は、原稿を読み取って、原稿の色属性を判定し、印刷画像のデータの色属性と、判定された原稿の色属性とを揃えるように、印刷画像のデータを変換して原稿に印刷を実行する。【選択図】図１２
2013236187.tif 000002
【特許請求の範囲】
【請求項１】
印刷装置であって、
原稿を読み取る読取手段と、
前記読取手段によって読み取られた前記原稿の色属性を判定する色属性判定手段と、
印刷画像のデータの色属性と、前記色属性判定手段によって判定された前記原稿の色属性とを揃えるように、該印刷画像のデータを変換する変換手段と、
前記変換手段によって変換された印刷画像のデータに従って前記原稿に印刷を実行する印刷手段と
を備えることを特徴とする印刷装置。
【請求項２】
前記色属性判定手段は、前記原稿の色属性が白黒であるか否かを判定し、
前記変換手段は、前記原稿の色属性が白黒である場合に、前記印刷画像のデータを白黒に変換することを特徴とする請求項１に記載の印刷装置。
【請求項３】
前記色属性判定手段は、前記原稿の色属性が単色であるか否かを判定し、
前記変換手段は、前記原稿の色属性が単色である場合に、前記印刷画像のデータを単色に変換することを特徴とする請求項１に記載の印刷装置。
【請求項４】
前記色属性判定手段は、前記原稿の色属性が予め設定した特色インクの色属性であるか否かを判定し、
前記変換手段は、前記原稿の色属性が前記特色インクの色属性である場合に、前記印刷画像のデータを前記特色インクの色属性に変換することを特徴とする請求項１に記載の印刷装置。
【請求項５】
前記色属性判定手段は、前記色属性として、前記原稿に含まれる全ての枠の色を判定し、
前記変換手段は、前記色属性判定手段によって判定された枠ごとの色に揃えるように、各枠の領域に印刷される印刷画像のデータをそれぞれ変換することを特徴とする請求項１に記載の印刷装置。
【請求項６】
シートを積載し、前記印刷手段に原稿を給送する第１給送手段と、
原稿を載置し、前記読取手段に該原稿を給送する第２給送手段と、
前記第１給送手段から給送されたシートを前記印刷手段に搬送するとともに、該印刷手段で印刷されたシートを第１排出手段に排出するための第１搬送路と、
前記第１給送手段から前記印刷手段に搬送されたシートの第１面に印刷が行われ、該第１面の裏面となる第２面に印刷を実行するために再び前記印刷手段に該シートを搬送するための第２搬送路であって、前記読取手段が近傍に配置され、前記第２給送手段から前記読取手段にシートを搬送するための前記第２搬送路と、
前記読取手段を挟んで前記第２搬送路と対向する位置に設けられ、該第２搬送路から分岐した第３搬送路であって、前記第２給送手段から給送された原稿を第２排出手段に排出するための前記第３搬送路と
をさらに備え、
前記第１給送手段から給送されたシートに対して、前記印刷手段による印刷が可能であるとともに、前記読取手段による読取が可能であり、
前記第２給送手段から給送された原稿に対して、前記読取手段による読取が可能であるとともに、前記印刷手段により印刷が可能であることを特徴とする請求項１乃至５の何れか１項に記載の印刷装置。
【請求項７】
前記読取手段は、移動自在に設けられ、前記第２搬送路を搬送されるシート又は原稿と、前記第３搬送路を搬送されるシート又は原稿とを読み取ることにより、シート又は原稿の前記第１面及び前記第２面を読み取ることを特徴とする請求項６に記載の印刷装置。
【請求項８】
原稿を読み取る読取手段と、
両面印刷をするための両面搬送路を用いて前記原稿を搬送する搬送手段と、
前記読取手段によって読み取られた前記原稿の色属性を判定する色属性判定手段と、
前記色属性判定手段によって判定された前記原稿の色属性に従って、前記搬送手段によって搬送された前記原稿に画像を印刷する印刷手段と
を備えることを特徴とする印刷装置。
【請求項９】
印刷装置の制御方法であって、
読取手段が、原稿を読み取る読取ステップと、
色属性判定手段が、前記読取ステップにおいて読み取られた前記原稿の色属性を判定する色属性判定ステップと、
変換手段が、印刷画像のデータの色属性と、前記色属性判定手段によって判定された前記原稿の色属性とを揃えるように、該印刷画像のデータを変換する変換ステップと、
印刷手段が、前記変換ステップにおいて変換された印刷画像のデータに従って前記原稿に印刷を実行する印刷ステップと
を実行することを特徴とする印刷装置の制御方法。
【請求項１０】
印刷装置の制御方法であって、
読取手段が、原稿を読み取る読取ステップと、
色属性判定手段が、前記読取ステップにおいて読み取られた前記原稿の色属性を判定する色属性判定ステップと、
印刷手段が、前記色属性判定ステップにおいて判定された前記原稿の色属性に従って、両面印刷をするための両面搬送路を用いて搬送された前記原稿に画像を印刷する印刷ステップと
を実行することを特徴とする印刷装置の制御方法。
【請求項１１】
請求項９または１０に記載の印刷装置の制御方法における各ステップをコンピュータに実行させるためのプログラム。
【発明の詳細な説明】
【技術分野】
【０００１】
本発明は、印刷装置、その制御方法、及びプログラムに関するものである。
【背景技術】
【０００２】
特許文献１では、給紙部から排紙部に至る転写紙搬送経路中に画像読取部を配設することで、原稿搬送系統と転写紙搬送系統を共通利用する印刷装置が提案されている。
【先行技術文献】
【特許文献】
【０００３】
【特許文献１】特開２０００−１８５８８１号公報
【発明の概要】
【発明が解決しようとする課題】
【０００４】
しかしながら、上記従来技術には以下に記載する問題がある。例えば、特許文献１の印刷装置では、読み取った原稿に対して印刷を実行することができない。また、原稿に対して印刷を行うことができたとしても、原稿の内容に応じてモノクロ印刷を行うか、カラー印刷を行うかを判断する必要がある。例えば、原稿が元々モノクロの印刷物であるにもかかわらず、印刷データをカラーで印刷すると、後から印刷されたカラー画像が原稿で必要以上に浮き出てしまう。
【０００５】
本発明は、上述の問題に鑑みて行われたものであり、読取対象である原稿に対して印刷を実行する場合に、読み取りにより判定した原稿の色属性に応じて印刷を調整する印刷装置、その制御方法及びプログラムを提供することを目的とする。
【課題を解決するための手段】
【０００６】
本発明は、印刷装置であって、原稿を読み取る読取手段と、前記読取手段によって読み取られた前記原稿の色属性を判定する色属性判定手段と、印刷画像のデータの色属性と、前記色属性判定手段によって判定された前記原稿の色属性とを揃えるように、該印刷画像のデータを変換する変換手段と、前記変換手段によって変換された印刷画像のデータに従って前記原稿に印刷を実行する印刷手段とを備えることを特徴とする。
【０００７】
また、印刷装置であって、原稿を読み取る読取手段と、両面印刷をするための両面搬送路を用いて前記原稿を搬送する搬送手段と、前記読取手段によって読み取られた前記原稿の色属性を判定する色属性判定手段と、前記色属性判定手段によって判定された前記原稿の色属性に従って、前記搬送手段によって搬送された前記原稿に画像を印刷する印刷手段とを備えることを特徴とする。
【発明の効果】
【０００８】
本発明は、読取対象である原稿に対して印刷を実行する場合に、読み取りにより判定した原稿の色属性に応じて印刷を調整する印刷装置、その制御方法及びプログラムを提供きる。
【図面の簡単な説明】
【０００９】
【図１】第１の実施例における複合機能付画像形成装置の概略図。
【図２】第１の実施例における両面印刷プロセスの説明図。
【図３】第１の実施例における原稿表面の読み取り開始時の説明図。
【図４】第１の実施例における原稿表面である第１面目の読み取り終了時の説明図。
【図５】第１の実施例における原稿裏面である第２面目の読み取り開始時の説明図。
【図６】第１の実施例における原稿裏面の読み取り終了時の説明図。
【図７】第１の実施例における記録材Ｓへの画像形成が完了を説明する図。
【図８】第１の実施例における原稿への画像形成の開始時の説明図。
【図９】第１の実施例におけるカラー画像形成の概略図。
【図１０】第１の実施例における制御ＣＰＵの動作を説明する図。
【図１１】第１の実施例における画像読取部の構成を説明する図。
【図１２】第１の実施例における制御ＣＰＵの動作を説明するフローチャート。
【図１３】第２の実施例における制御ＣＰＵの動作を説明するフローチャート。
【図１４】第３の実施例における制御ＣＰＵの動作を説明するフローチャート。
【図１５】第３の実施例における制御ＣＰＵの動作を説明する図。
【発明を実施するための形態】
【００１０】
以下、本発明を実施するための形態について図面を用いて説明する。なお、以下の実施形態は特許請求の範囲に係る発明を限定するものでなく、また実施形態で説明されている特徴の組み合わせの全てが発明の解決手段に必須のものとは限らない。
【００１１】
＜印刷装置＞
以下では、図１乃至図１１を参照して、印刷装置における画像の読取プロセス及び印刷プロセスについて説明する。なお、ここでは、第２給紙部９０から給送される原稿Ｇの両面を読み取り、第１給紙部（第１給送手段）３０から給送されるシートＳの両面に原稿Ｇから読み取った画像を形成する際の動作について説明する。まず、図１を参照して、印刷装置の構成例について説明する。印刷装置１の中央には、像担持体となる回転可能な感光ドラム１０と、感光ドラム１０と並接し、トナーを保持しながら回転する現像ローラ１１が配置されている。印刷信号を受けると、光学ユニット２が具備する発光部２１が、回転する感光ドラム１０の表面にレーザ光を照射する。レーザ光を照射された感光ドラム１０の表面には、電荷による潜像画像が形成される。現像ローラ１１は、感光ドラム１０表面の潜像画像に、保持しているトナーを回転しながら供給する。これにより、感光ドラム１０の表面には、トナー画像が形成される。
【００１２】
一方、第１給紙部３０に収納されたシートＳは、ＣＳＴピックアップローラ３１と分離部３２により、一枚ずつ搬送ローラ４０に搬送される。搬送ローラ４０は、感光ドラム１０の表面のトナー画像とシートＳの先端位置のタイミングを合わせるように、シートＳを転写部１５へと搬送する。ここで、シートとは、印刷装置１が画像を印刷することが可能な媒体を示し、例えば、紙、ＯＨＰシート等、様々な材質の媒体を含むことができる。
【００１３】
感光ドラム１０の回転により転写部１５に搬送されるトナー画像は、転写部１５に付与される印加バイアスと圧力によって、シートＳに転写される。更に、転写部１５は、シートＳを定着部５０に搬送する。定着部５０では、回転可能な加熱ローラ５１からの熱と、加熱ローラ５１と対向し、回転可能な加圧ローラ５２の圧力が、トナー画像をシートＳに定着させる。トナー画像を定着されたシートＳは、排紙ローラ６０に搬送される。片面印刷の場合、排紙ローラ６０はシートＳをそのまま機外へ搬送し、シートＳは第１排紙部７０（第１排出手段）に積載される。また、印刷装置１の各コンポーネントは、図８を用いて後述する電装８００によって制御されている。なお、第１給紙部３０から給送されたシートが印刷されて第１排紙部７０へ排出される搬送路を第１搬送路とする。
【００１４】
次に、図２を参照して、両面印刷プロセスについて説明する。両面フラッパ６１は、シートＳの後端が通過した後、搬送路を切り替える。その後、排紙ローラ６０は逆回転し、シートＳを両面搬送路（第２搬送路）８０へ搬送する。スイッチバックしたシートＳは、搬送ローラ４１を介して画像読取部１００に搬送される。図２に示すように、画像読取部１００は、両面搬送路８０の近傍に設けられている。その後、シートＳは、搬送ローラ４２及び４０に搬送され、再び転写部１５へ搬送され、トナー画像がシートＳの裏面（図１で説明した転写面とは異なる面）に転写され、定着を経て、第１排紙部７０に積載される。
【００１５】
次に、図３を参照して、原稿情報の読み取りと、シートへの両面印刷を実施するプロセスについて説明する。第２給紙部（第２給送手段）９０に載置された原稿Ｇは、ＣＩＳピックアップローラ９１と分離部９２により、一枚ずつ搬送ローラ４１に搬送される。一方、画像読取部１００は、第２給紙部９０から給紙された原稿Ｇが原稿表面である第１面目の読み取り開始前までに白基準部材１０１への発光と、白基準値の修正を実施した後、両面搬送路８０に対面する位置（図３に示す位置）に回転する。つまり、画像読取部１００は、両面搬送路８０を搬送される原稿Ｇの画像を読み取る位置に回転する。搬送ローラ４１は、原稿Ｇを、画像読取部１００に搬送する。既に画像読取部１００は両面搬送路８０に対面する位置に待機しており、画像読取部１００で読み取られた情報は、図８を用いて後述する画像メモリ８０４に原稿第１面目の情報として記憶される。尚、白基準部材１０１は、下向きに配置されており、ごみ付着に対する配慮がなされていることを追記しておく。
【００１６】
次に、図４を参照して、原稿表面である第１面目の読取終了時の動作ついて説明する。画像読取部１００を通過した原稿Ｇは、搬送ローラ４２に搬送される。搬送ローラ４２は、原稿Ｇの後端がスイッチバックフラッパ８２を通過した時点で停止する。ここで、原稿Ｇは搬送ローラ４２に挟持された状態で停止していることになる。所定時間の経過後、搬送ローラ４２が逆回転し、原稿Ｇを原稿専用搬送路（第３搬送路）８１へ搬送する。原稿専用搬送路８１は、両面搬送路８０から分岐し、第２排紙部１１０へと繋がっている。このときに、原稿Ｇを搬送ローラ４２で止めずに搬送ローラ４０まで搬送して第１面目の読み取りを行った後に図１で説明した画像形成プロセスへ回すこともできる。
【００１７】
次に、図５を参照して、第１面の裏面である第２面目の読取開始時の動作について説明する。スイッチバックフラッパ８２が搬送路を、両面搬送路８０から原稿専用搬送路８１に切り替えると同時に、画像読取部１００は、原稿専用搬送路８１に対面する位置に回転する。即ち、画像読取部１００は、原稿専用搬送路８１を搬送されるシートの画像を読み取る位置に回転する。搬送ローラ４２が逆回転すると、原稿Ｇは、原稿専用搬送路８１に沿って、画像読取部１００に搬送される。原稿Ｇが画像読取部１００に搬送され、通過することで、原稿裏面である第２面目の情報を読み取り、画像メモリ８０４に原稿第２面目の情報として記憶する。このように、画像読取部１００は、両面搬送路８０と、原稿専用搬送路との間に挟まれて設けられるとともに、両方の搬送路を搬送されるシートの画像を読み取るべく移動自在に設けられる。
【００１８】
原稿Ｇの第２面目の読取が開始されると、第１給紙部３０から給紙されたシートＳが１枚ずつ搬送ローラ４０に搬送される。ほぼ同時に画像メモリ８０４に記憶された原稿裏面である第２面の読取画像を基に発光部２１から先の画像情報に基づく感光ドラム１０への潜像画像が形成される。次に、シートＳは転写部１５で潜像画像により形成されたトナー画像を転写された後、定着部５０等を搬送され、原稿第２面目の画像形成が完了する。なお、図５では、原稿裏面である第２面の情報を読み取り開始とともにシートＳの給紙を開始しているが、第２面の情報を読み取った後にシートＳを搬送してもよい。
【００１９】
次に、図６を参照して、原稿裏面の読取終了時の動作について説明する。画像読取を終了した原稿Ｇは、搬送ローラ４３及び４４に搬送され、第２排紙部（第２排出手段）１１０に積載される。スイッチバックフラッパ８２は、原稿Ｇの後端が通過すると、両面印刷が開始されたシートＳが搬送ローラ４０の方向に搬送されるよう、搬送路を原稿専用搬送路８１から両面搬送路８０へ切り替える。原稿Ｇから読み取った第２面目の画像形成が完了したシートＳは、裏面への画像形成を行うために、排紙ローラ６０の逆回転によって、両面フラッパ６１によって切り替えられた両面搬送路８０に向けて搬送される。このとき、シートＳを両面搬送路８０へ搬送せずに、搬送ローラ４４で原稿Ｇを止めておき、反転させて原稿専用搬送路８１に戻し、搬送ローラ４３、４２を通過させて搬送ローラ４０まで搬送して、両面読み取った原稿Ｇに対し画像形成を行うこともできる。
【００２０】
次に、図７を参照して、シートＳへの画像形成が完了した際の動作について説明する。両面搬送路８０に搬送されたシートＳは、反転している画像読取部１００を通過し、搬送ローラ４２を介して、搬送ローラ４０に搬送される、更に搬送され破線で記載されているシートＳにあるように再び転写部１５へ搬送される。既にシートＳには、原稿第２面目の画像形成が終了しており、先の画像メモリ８０４に記憶された原稿第１面目の画像情報に基づき、原稿第１面目の画像が形成される。具体的には、シートＳは、光学ユニット２と感光ドラム１０と現像ローラ１１と転写部１５と定着部５０とによって構成される画像形成部によってトナー画像の転写及び定着を経て、第１排紙部７０に排紙されて積載される。
【００２１】
以上説明したように、本実施例に係る印刷装置１は、第１給紙部３０から給送されたシートＳに対して、印刷が可能であるとともに、画像の読み取りが可能である。また、印刷装置１は、第２給紙部９０から給送された原稿Ｇに対して、画像の読み取りが可能であるとともに、印刷が可能である。また、画像読取部１００は、両面搬送路８０を搬送されるシートＳ又は原稿Ｇと、原稿専用搬送路を搬送されるシートＳ又は原稿Ｇとを読み取ることにより、シート又は原稿の第１面及び第２面を読み取るように制御してもよい。
【００２２】
次に、図８を参照して、原稿Ｇを読み取り、読み取った原稿Ｇに印刷を行う処理（オンプリント処理）について説明する。印刷装置１の制御手段である制御ＣＰＵ８０１は、ホストコンピュータ（図示せず）から指示されたオンプリントコマンドと印字内容（印刷画像）を受信すると、画像メモリ８０４に印字内容を格納し、オンプリント処理を開始する。オンプリントコマンドとは、予め印刷が施されている原稿に対してさらに印刷を要求するコマンドである。
【００２３】
第２給紙部９０に載置された原稿Ｇは、ＣＩＳピックアップローラ９１と分離部９２により、一枚ずつ搬送ローラ４１に搬送される。一方、画像読取部１００は、第２給紙部９０から給紙された原稿Ｇが原稿表面である第１面目の読み取り開始前までに白基準部材１０１への発光と、白基準値の修正を実施した後、両面搬送路８０に対面する位置に回転する。搬送ローラ４１は、原稿Ｇを、画像読取部１００に搬送する。既に画像読取部１００は両面搬送路８０に対面する位置に待機しており、画像読取部１００で読み取られた情報は、図８の画像メモリ８０４に原稿第１面目の情報として記憶される。
【００２４】
画像読取部１００を通過した原稿Ｇは、搬送ローラ４２に搬送され、引き続き搬送ローラ４０に搬送される。ほぼ同時に、発光部２１は、画像メモリに記憶された画像情報に基づいてレーザ光を感光ドラム１０の表面に照射し、画像情報に基づく潜像画像が感光ドラム１０の表面に形成される。その後、現像ローラ１１によって供給されたトナーにより潜像画像が現像される。搬送ローラ４０は、感光ドラム１０の表面のトナー画像と原稿Ｇの先端位置のタイミングを合わせるように、原稿Ｇを転写部１５へと搬送する。感光ドラム１０の回転により転写部１５に搬送されるトナー画像は、転写部１５に付与される印加バイアスと圧力によって、原稿Ｇに転写される。更に、転写部１５は、原稿Ｇを定着部５０に搬送する。定着部５０では、回転可能な加熱ローラ５１からの熱と、加熱ローラ５１と対向し、回転可能な加圧ローラ５２の圧力が、トナー画像を原稿Ｇに定着させる。トナー画像を定着された原稿Ｇは、排紙ローラ６０に搬送される。
【００２５】
片面印刷の場合、排紙ローラ６０は原稿Ｇをそのまま機外へ搬送し、原稿Ｇは第１排紙部７０に積載される。このようにして、原稿を読み取り、読み取った原稿に画像形成を行う。
【００２６】
次に、図９を参照して、本実施例に係るモノクロ画像及びカラー画像を形成する印刷装置の構成について説明する。図９（ａ）は、図１乃至図８を用いて説明した印刷装置１と同様である。本実施例では、説明を容易にするため、図９（ａ）の印刷装置１の構成を用いて説明するが、本発明の印刷装置は図９（ｂ）の印刷装置１の構成を有する。図９（ｂ）は、本発明に係るカラー印刷可能な印刷装置１を示す。印刷装置１には、Ｃ（シアン）、Ｍ（マゼンタ）、Ｙ（イエロー）、ＢＫ（ブラック）のそれぞれに対応する光学ユニット２、感光ドラム１０、現像ローラ１１、転写部１５が設けられている。なお、以下の説明では、図９（ｂ）を図９（ａ）のように省略して、原稿ＧやシートＳの動きについて詳細に説明する。
【００２７】
＜制御部の構成＞
次に、図１０を参照して、本実施例の画像形成動作における制御ＣＰＵ８０１及びＡＳＩＣ８０２の動作について説明する。図１０には、制御ＣＰＵ８０１が制御する各ユニットの構成が示されている。図１０に示すように、制御ＣＰＵ８０１は、ポリゴンミラー、モータ及びレーザ発光素子などを含む発光部２１に、ＡＳＩＣ８０２を介して接続されている。制御ＣＰＵ８０１は、感光ドラム１０面上にレーザ光を走査することにより所望の潜像を描くため、ＡＳＩＣ８０２に対して制御信号を出力し、光学ユニット２を制御する。同様に、制御ＣＰＵ８０１は、シートＳを搬送するためにＣＳＴピックアップローラ３１及び搬送ローラ４０、感光ドラム１０、転写部１５、加熱ローラ５１、加圧ローラ５２を駆動するためのメインモータ８３０、シートＳを給紙する給紙ローラの駆動開始時にオンしてＣＳＴピックアップローラ３１を駆動させるためのＣＳＴ給紙ソレノイド８２２、ＣＩＳピックアップローラ９１と搬送ローラ４１〜４４を駆動するための両面駆動モータ８４０などの駆動系を制御する。
【００２８】
さらに、制御ＣＰＵ８０１は、電子写真プロセスに必要な１次帯電、現像、１次転写、２次転写バイアスを制御する高電圧電源８１０、定着部５０及び低電圧電源８１１を制御する。さらに、制御ＣＰＵ８０１は、定着部５０に設けられたサーミスタ（図示せず）により温度をモニタし、定着温度を一定に保つように制御する。また、制御ＣＰＵ８０１は、バス等（図示せず）を介してプログラムメモリ８０３に接続される。プログラムメモリ８０３には、以上の制御及び本明細書に記載される各実施形態において制御ＣＰＵ８０１が行う処理のすべて又は一部を実行するためのプログラム及びデータが格納される。すなわち、制御ＣＰＵ８０１は、プログラムメモリ８０３に格納されたプログラム及びデータを用いて本発明の各実施形態の動作を実行する。
【００２９】
ＡＳＩＣ８０２は、制御ＣＰＵ８０１の指示に基づいて発光部２１内部のモータ速度制御、メインモータ８３０及び両面駆動モータ８４０の速度制御を行う。モータの速度制御は、モータ（図示せず）からのタック信号（モータが回転されるごとにモータから出力されるパルス信号）を検出して、検出したタック信号の間隔が所定時間となるようモータに対し加速又は減速信号を出力する。このように、制御回路はＡＳＩＣ８０２のハードウェアによる回路で構成した方が、制御ＣＰＵ８０１の制御負荷を低減することができる。
【００３０】
制御ＣＰＵ８０１は、クライアントＰＣから指示されたプリントコマンドを受信すると、メインモータ８３０、両面駆動モータ８４０、ＣＳＴ給紙ソレノイド８２２を駆動してシートＳを搬送する。シートＳは、感光ドラム１０表面に形成されたトナー像が転写部１５によって転写された後、定着部５０によってトナー像が定着されてから、排紙ローラ６０によってシート積載部としての第１排紙部７０へ排出される。画像形成済みシートの整列性を高めるため、第１排紙部７０は、排紙口付近からシート排出方向に向けてゆるやかな上り勾配が設けられている。ここで、制御ＣＰＵ８０１は、定着部５０に対して低電圧電源８１１を介して所定の電力を供給し、所望の熱量を発生させてシートＳに与え、シートＳ上のトナー画像を融着し定着させる。
【００３１】
次に、原稿読取動作について説明する。制御ＣＰＵ８０１は、クライアントＰＣから指示されたスキャンコマンドを受信すると、両面フラッパソレノイド８２０及び両面駆動モータ８４０を駆動する。さらに、制御ＣＰＵ８０１は、ＣＩＳ給紙ソレノイドを操作することで、両面駆動モータ８４０のトルクをＣＩＳピックアップローラ９１に伝達させ、原稿Ｇを搬送する。また、画像読取部１００は、後述する各種制御信号であるＣＩＳＬＥＤ、ＣＩＳＳＴＡＲＴ、ＳＹＳＣＬＫ、Ｓｌ＿ｉｎ、Ｓｌ＿ｓｅｌｅｃｔ、Ｓｌ＿ｏｕｔによりＡＳＩＣ８０２に接続されている。制御ＣＰＵ８０１は、ＡＳＩＣ８０２を介して各種制御により画像読取部１００から読み取った画像をＡＳＩＣ８０２に接続されている画像メモリ８０４に保存する。その後、制御ＣＰＵ８０１は、スイッチバックソレノイド８２１を操作して、スイッチバックフラッパ８２を原稿専用搬送路側に倒し、両面駆動モータ８４０を反転し、原稿Ｇを第２排紙部１１０まで搬送する。画像解析・修正部８５０は、原稿Ｇから読み取られた画像を解析して当該原稿Ｇが白黒（単色）であるか又はカラーであるかを判定したり、当該画像データを補正したりする。
【００３２】
＜画像読取部＞
次に、図１１を参照して、画像読取部１００の詳細について説明する。図１１は、ＣＩＳセンサ（Ｃｏｎｔａｃｔ Ｉｍａｇｅ Ｓｅｎｓｏｒ）の回路ブロックを示す。９０１は、コンタクトイメージセンサ部分であり、例えば１０３６８画素分のフォトダイオードが特定の主走査密度（例えば１２００ｄｐｉ）でアレイ状に配置される。９０２及び９１５は、ＣＩＳセンサに与えるスタートパルスＣＩＳＳＴＡＲＴ信号及び転送クロックＣＩＳＣＬＫを示す。９１４は、ＣＩＳセンサ部の動作速度を決めるシステムクロックＳＹＳＣＬＫを示す。９０８は、Ａ／Ｄコンバータを示す。９１６は、Ａ／Ｄコンバータ９０８のサンプリング速度を決定するＣＩＳサンプリングクロックＡＤＣＬＫを示す。９１７は、タイミングジェネレータを示す。９０４は、出力バッファを示す。９０５は、シフトレジスタを示す。９０３は、発光素子制御信号ＣＩＳＬＥＤを示す。９０６は、電流増幅部を示す。９０７は、原稿Ｇを均一に照射する発光素子を示す。
【００３３】
続いて、画像読取部の動作について説明する。ＣＩＳＳＴＡＲＴ信号９０２をアクティブとすると、ＣＩＳセンサ部９０１は受光した光に基づく電荷の蓄積を開始し、出力バッファ９０４にデータを順次セットする。次に、転送クロックＣＩＳＣＬＫ９１５（例えば５００ｋＨｚ〜１ＭＨｚ程度）を与えると、出力バッファ９０４にセットされたデータは、シフトレジスタ９０５によって、ＣＩＳＳＮＳ信号９１８として、Ａ／Ｄコンバータ９０８ヘと転送される。このＣＩＳＳＮＳ信号９１８には、所定のデータ保証領域があるため、転送クロックＣＩＳＣＬＫ９１５の立ち上がりタイミングから所定時間が経過した後にサンプリングする必要がある。また、ＣＩＳＳＮＳ信号９１８は、転送クロックＣＩＳＣＬＫ９１５の立ち上がりと立下りの双方のエッジに同期して出力される。そのため、ＣＩＳサンプリングクロックＡＤＣＬＫ９１６の周波数は、転送クロックＣＩＳＣＬＫ９１５の２倍となるように生成され、ＣＩＳサンプリングクロックＡＤＣＬＫ９１６の立ち上りエッジにて、ＣＩＳＳＮＳ信号９１８がサンプリングされる。
【００３４】
タイミングジェネレータ９１７は、システムクロックＳＹＳＣＬＫ９１４を分周して、ＣＩＳサンプリングクロックＡＤＣＬＫ９１６及び転送クロックＣＩＳＣＬＫ９１５を生成する。ＣＩＳサンプリングクロックＡＤＣＬＫ９１６の位相は、転送クロックＣＩＳＣＬＫ９１５と比べ、上記データ保証領域分だけ遅延している。
【００３５】
Ａ／Ｄコンバータ９０８でデジタル変換されたＣＩＳＳＮＳ信号９１８は、出力インタフェース回路９０９によって所定のタイミングで制御されて、９１０のＳｌ＿ｏｕｔ信号にシリアルデータとして出力される。その際、スタートパルスＣＩＳＳＴＡＲＴ９０２から所定画素分のＣＩＳＳＮＳ信号９１８には、アナログ出力基準電圧が出力されており、有効画素としては使用できない。一方、９１１の制御回路によって、Ｓｌ＿ｉｎ信号９１２及びＳｌ＿ｓｅｌｅｃｔ信号９１３によりＡ／Ｄコンバータ９０８のＡ／Ｄ変換ゲインが可変制御できる。例えば、撮像した映像のコントラストが得られない場合は、制御ＣＰＵ８０１は、Ａ／Ｄコンバータ９０８のＡ／Ｄ変換ゲインを大きくすることによりコントラストを増加させ、常に最良なコントラストで撮像することができる。
【００３６】
ここでは、すべての画素が１つの出力信号ＣＩＳＳＮＳ信号９１８として出力される系にて説明を行なったが、高速読み取りのために画素をエリアごとに分割し、複数のエリアで同時にＡ／Ｄ変換を行なってもよい。また、ここまで画像読取部１００にＣＩＳセンサを用いて説明を行なってきたものの、本発明はこれに限定されず、ＣＭＯＳセンサやＣＣＤセンサ等を適用可能であることは言うまでもない。
【００３７】
＜オンプリント処理＞
次に、図１２を参照して、白黒（モノクロ）又はカラーのプレプリント用紙を原稿として読み取り、印字データ内容を修正して同一原稿に印字を行うオンプリント処理について説明する。オンプリント処理とは、読み取った原稿上にプリントを行う処理を示す。印字データ内容とは、ＰＤＬ又はＰＤＬをラスタライズした印刷画像を示し、以下では、印字内容と称する。以下で説明する処理は、制御ＣＰＵ８０１がプログラムメモリ８０３に格納された制御プログラムを実行することにより実現される。
【００３８】
制御ＣＰＵ８０１は、ネットワークを介して接続された外部装置であるホストコンピュータから指示された自動色補正オンプリントコマンドと印字内容を受信すると、画像メモリ８０４に印字内容を格納し、オンプリント処理を開始する。なお、これらのプリントコマンドは、印刷装置１の操作部を介したユーザ操作によって行われてもよい。ホストコンピュータから受け取ったコマンドが自動色補正なしのオンプリント処理であれば読取原稿にそのまま印字をする。以下、自動色補正オンプリント処理について説明する。
【００３９】
Ｓ１００１において、制御ＣＰＵ８０１は、画像読取部１００によって読取原稿（プレプリント用紙）を読み取る。詳細動作は図８を用いて説明したとおりである。第２給紙部９０に収納された原稿Ｇを搬送し、画像読取部１００で読み取り、画像メモリ８０４に読取原稿画像として記憶する。
【００４０】
次に、Ｓ１００２において、制御ＣＰＵ８０１は、色属性判定手段として機能し、画像解析・修正部８５０によって読み取った原稿画像を解析し、原稿Ｇが白黒原稿（色属性）であるか否かを判定する。具体的には、画像解析・修正部８５０は、Ｓ１００１で画像メモリ８０４に格納した読取原稿画像が白黒、グレー以外の色の画素を持っているか確認する。白黒、グレーのみであれば白黒原稿と判定し、Ｓ１００３へ進み、それ以外、即ちカラー原稿であればＳ１００５に進む。例えば、セットしたプレプリント用紙が社内で確認用に使用する白黒のプレプリント用紙であれば、Ｓ１００３に進んでこれから印刷する印字内容がカラーを含むか確認する。顧客配布用のカラーのプレプリント用紙であれば、Ｓ１００５に進んでプレプリント用紙に印字を行う。
【００４１】
Ｓ１００３において、制御ＣＰＵ８０１は、画像メモリ８０４に格納した印字内容画像がカラーを含むか、即ち白黒、グレー以外の色の画素を有しているか否かを判定する。ここで、画像メモリ８０４に格納した印字内容画像とは、原稿Ｇへ印字する画像を示す。カラーを含む場合はＳ１００４に進み、カラーを含まない場合はＳ１００５に進む。例えば、顧客配布用の印刷データはカラーなのでＳ１００４に進む。
【００４２】
Ｓ１００４において、制御ＣＰＵ８０１は、画像解析・修正部８５０によって、画像メモリ８０４に格納した印字内容を白黒に色変換する。続いて、Ｓ１００５において、制御ＣＰＵ８０１は、搬送された読取原稿Ｇに印字内容画像の印字を行う。具体的には、Ｓ１００１において画像読取部１００によって読み取られた原稿Ｇは、図８の搬送路８０を通り、搬送ローラ４２でそのまま搬送ローラ４０に搬送される。搬送ローラ４０は、感光ドラム１０の表面のトナー画像と原稿Ｇの先端位置のタイミングを合わせるように、原稿Ｇを転写部１５へと搬送する。感光ドラム１０の回転により転写部１５に搬送されるトナー画像は、転写部１５に付与される印加バイアスと圧力によって、原稿Ｇに転写される。更に、転写部１５は、原稿Ｇを定着部５０に搬送する。定着部５０では、回転可能な加熱ローラ５１からの熱と、加熱ローラ５１と対向し、回転可能な加圧ローラ５２の圧力が、トナー画像を原稿Ｇに定着させる。トナー画像を定着された原稿Ｇは、排紙ローラ６０に搬送される。片面印刷の場合、排紙ローラ６０は原稿Ｇをそのまま機外へ搬送し、原稿Ｇは第１排紙部７０に積載される。
【００４３】
このように、本実施例に係る印刷装置１によれば、印刷しようとしている印字内容がカラーで作成されているが、経費削減により白黒で通常は印刷し、顧客への配布の場合のみカラーで印刷するというユースケースに対応できる。この場合、例えば見積り提案用のプレプリント用紙が２種用意されていて、１種が社内確認用の白黒プレプリント用紙、もう１種が顧客提案用のカラープレプリント用紙であることが想定される。従来は、白黒プレプリント用紙をセットして、白黒印刷設定と必要部数の印刷設定を行い、別途、カラー印刷も同様にカラープレプリント用紙をセットして、カラー印刷設定と必要部数の印刷設定を行い、印刷を行う必要があり非常に手間であった。
【００４４】
しかし、本実施例に係る印刷装置１によれば、読取原稿に印字できるような搬送経路を有し、読取原稿のカラー属性（色属性）に応じて、白黒印刷又はカラー印刷を切り替える。これにより、白黒とカラーのプレプリント用紙を必要部数混在して原稿読み取り用給紙部にセットするだけで、読取原稿（プレプリント用紙）と同一のカラー属性で印字可能で、ユーザの手間をかけず作業効率を落とさない印刷装置を実現できる。
【００４５】
＜第２の実施例＞
次に、図１３を参照して、第２の実施例の原稿を読み取り印字内容を修正して同一原稿に印字を行うオンプリント処理について説明する。上記第１の実施例では、原稿の色属性として白黒であるか否かを判定したが、本実施例では、白黒ではなく、原稿の色属性として単色であるか否かを判定する例について説明する。以下で説明する処理は、制御ＣＰＵ８０１がプログラムメモリ８０３に格納された制御プログラムを実行することにより実現される。制御ＣＰＵ８０１は、ホストコンピュータから指示された自動色補正オンプリントコマンドと印字内容を受信すると、画像メモリ８０４に印字内容を格納し、オンプリント処理を開始する。
【００４６】
Ｓ１１０１において、制御ＣＰＵ８０１は、画像読取部１００によって、読取原稿を読み取る。図３を用いて説明したとおり、第２給紙部９０に載置された原稿Ｇを搬送し、画像読取部１００で読み取り、画像メモリ８０４に読取原稿画像として記憶する。
【００４７】
次に、Ｓ１１０２において、制御ＣＰＵ８０１は、色属性判定手段として機能し、読み取った原稿が単色原稿かどうかを画像解析・修正部８５０によって判定する。具体的には、画像解析・修正部８５０は、Ｓ１１０１で画像メモリ８０４に格納した読取原稿画像が単色からなるか否かを判定する。例えば、原稿画像の各画素が白（（Ｒ，Ｇ，Ｂ）＝（０，０，０））を除いてＲＧＢカラーのＲ：Ｇ：Ｂの比率が一定である場合は、一色とみなせるので単色原稿と判定する。単色原稿であればＳ１１０３へ進み、それ以外の場合はＳ１１０５に進む。
【００４８】
Ｓ１１０３において、制御ＣＰＵ８０１は、画像メモリ８０４に格納した印字内容画像がＳ１１０２で判定した色以外のカラーを含むか否かを判定する。印字内容画像の各画素のＲＧＢカラーのＲ：Ｇ：Ｂ比率がＳ１１０２で求めた読取原稿のカラー比率と異なるカラーを含む場合はＳ１１０４に進む。同一の場合は、Ｓ１１０５に進む。
【００４９】
Ｓ１１０４において、制御ＣＰＵ８０１は、画像メモリ８０４に格納した印字内容画像を読取原稿のカラー比率と同一になるように色変換する。例えば、読取原稿のカラーがＲＧＢ、これから印字する印字内容画像がＣＭＹＫであるとすると、最初にＲＧＢをＣＭＹＫに色変換する。読取原稿のカラー比率がＣ：Ｍ：Ｙ＝１：２：３、印字内容画像のある画素のカラー値が（Ｃ，Ｍ，Ｙ）＝（１０，３０，５）の場合を考える。カラー値の最も高い値を基準にしてカラー比率が同一になるようにカラー値の変換を行う。ただし、カラー比率に０が存在する場合は、０以外の色を用いる。即ち、上記例ではＭ＝３０が最も高いのでＭを基準にＣ＝１５、Ｙ＝４５に変換する。同様に印字内容画像のすべての画素のうち白以外の画素の色変換を行う。
【００５０】
また、印刷装置が複数のインクにより印刷する装置の場合は、特色インクに合わせてもよい。即ち、読取原稿が特色インクのカラー値のカラー比率と同一と判定した場合は、印字内容をすべて特色インクで印刷するようにカラー属性変換を行ってもよい。特色インクのカラー値は、デバイスに予め設定してある値を取得する。
【００５１】
Ｓ１１０５において、制御ＣＰＵ８０１は、搬送された読取原稿Ｇに印字内容画像の印字を行う。Ｓ１１０１において搬送路８０を搬送中に画像読取部１００で読み取られた原稿Ｇは、搬送路８０を通り、搬送ローラ４２でそのまま搬送ローラ４０に搬送される。搬送ローラ４０は、感光ドラム１０の表面のトナー画像と原稿Ｇの先端位置のタイミングを合わせるように、原稿Ｇを転写部１５へと搬送する。感光ドラム１０の回転により転写部１５に搬送されるトナー画像は、転写部１５に付与される印加バイアスと圧力によって、原稿Ｇに転写される。更に、転写部１５は、原稿Ｇを定着部５０に搬送する。定着部５０では、回転可能な加熱ローラ５１からの熱と、加熱ローラ５１と対向し、回転可能な加圧ローラ５２の圧力が、トナー画像を原稿Ｇに定着させる。トナー画像を定着された原稿Ｇは、排紙ローラ６０に搬送される。片面印刷の場合、排紙ローラ６０は原稿Ｇをそのまま機外へ搬送し、原稿Ｇは第１排紙部７０に積載される。
【００５２】
以上説明したように本実施例によれば、上記第１の実施例と同様、読取原稿に印刷できるような搬送経路を有することにより、単色のプレプリント用紙とその他のプレプリント用紙が混在したシート（原稿）に対して、シート毎に的確な印刷を実行することができる。具体的には、このような２種類のシートが混在している場合であっても、読取原稿（プレプリント用紙）と同一のカラー属性（色属性）で画像を印刷可能で、ユーザの手間をかけず作業効率を落とさない印刷装置を提供することができる。特に単色が、特色インクのカラーと同一であれば、特色インクを使用して印刷する印刷装置を提供することができる。
【００５３】
＜第３の実施例＞
次に、図１４を参照して、第３の実施例の原稿を読み取り印字内容を修正して同一原稿に印字を行うオンプリント処理について説明する。本実施例は、原稿Ｇに存在する枠のカラー属性に合わせて、印字内容を的確に変更する制御について説明する。以下で説明する処理は、制御ＣＰＵ８０１がプログラムメモリ８０３に格納された制御プログラムを実行することにより実現される。また、図１５は動作の説明を補足する図を示す。制御ＣＰＵ８０１は、ホストコンピュータ（図示せず）から指示された自動色補正オンプリントコマンドと印字内容を受信すると、画像メモリ８０４に印字内容を格納し、オンプリント処理を開始する。
【００５４】
Ｓ１２０１において、制御ＣＰＵ８０１は、原稿１３０１を読み取る。具体的には、第２給紙部９０に載置された、図１５に示す原稿１３０１を搬送し、画像読取部１００で読み取り、画像メモリ８０４に読取原稿画像として記憶する。ここで、原稿１３０１内には２つの枠１３０２、１３０３が存在する。
【００５５】
次に、Ｓ１２０２において、制御ＣＰＵ８０１は、画像解析・修正部８５０によって、読み取った原稿画像から枠をすべて抽出する。原稿１３０１の例では、枠１３０２、１３０３が２つ抽出できる。枠の抽出は一般的などのような処理でもよい。例えば、まず最初に直線上に連続する同一色の画素からなる直線を抽出する。次に、４本の直線が交わり、矩形を構成している場合はそれらを一つの枠として領域、枠線の色と共に記憶する。
【００５６】
Ｓ１２０３において、制御ＣＰＵ８０１は、Ｓ１２０２で抽出された枠のうち、１つの枠を取り出す（選択する）。続いて、Ｓ１２０４において、制御ＣＰＵ８０１は、色属性判定手段として機能し、印字内容画像１３０４の枠の領域内の画素が枠とは別の色を含むか否かを判定する。別の色を含む場合はＳ１２０５に進み、同一色の場合はＳ１２０６に進む。具体的な判定方法について説明する。例えば、最初に枠の色はＲＧＢなのでＣＭＹＫに色変換する。次に、印字内容画像１３０４内には枠１３０２の領域内に名前１３０５が存在し、枠１３０２の色が赤（（Ｃ，Ｍ，Ｙ）＝（０，２５６，０））、名前１３０５の色が黒（（Ｃ，Ｍ，Ｙ）＝（２５６，２５６，２５６））とする。各画素が白（（Ｃ，Ｍ，Ｙ）＝（０，０，０））を除いてＣＭＹＫカラーのＣ：Ｍ：Ｙの比率が枠のカラーの比率と同一である場合は、同一色と判断するが、赤と黒であるため異なると判定しＳ１２０５に進む。黒については、ＣＭＹでカラー値を有する場合とＫでカラー値を有する場合があるが、Ｃ＝Ｍ＝Ｙであれば、Ｃ＝Ｍ＝Ｙ＝０を除いて、黒又はグレーと判定する。
【００５７】
Ｓ１２０５において、制御ＣＰＵ８０１は、画像解析・修正部８５０によって、画像メモリ８０４に格納した印字内容画像の枠内の白以外の各画素を枠のカラー比率と同一になるように色変換する。例えば、枠１３０２の色は赤なのでカラー比率がＣ：Ｍ：Ｙ＝０：２５６：０、印字内容画像の枠内の画素のカラー値が名前１３０５の黒（（Ｃ，Ｍ，Ｙ）＝（２５６，２５６，２５６））で背景が白（（Ｃ，Ｍ，Ｙ）＝（０，０，０））の場合を考える。カラー値の最も高い値を基準にしてカラー比率が同一になるようにカラー値の変換を行う。ただし、カラー比率に０が存在する場合は、０以外の色を用いる。即ち、Ｍ＝２５６を基準にＣ＝０、Ｙ＝０に変換する。
【００５８】
次に、Ｓ１２０６において、制御ＣＰＵ８０１は、Ｓ１２０２で抽出した全ての枠を処理したか否かを判定する。全て処理した場合はＳ１２０７に進む。処理していない枠が残っている場合はＳ１２０３に進み、他の枠について、Ｓ１２０３乃至Ｓ１２０５の処理を実行する。Ｓ１２０７において、制御ＣＰＵ８０１は、搬送された原稿１３０１に印字内容画像の印字を行う。
【００５９】
Ｓ１２０１で搬送路８０で画像読取部１００で読み取られた原稿１３０１は、搬送路８０を通り、搬送ローラ４２でそのまま搬送ローラ４０に搬送される。搬送ローラ４０は、感光ドラム１０の表面のトナー画像と原稿１３０１の先端位置のタイミングを合わせるように、原稿１３０１を転写部１５へと搬送する。感光ドラム１０の回転により転写部１５に搬送されるトナー画像は、転写部１５に付与される印加バイアスと圧力によって、原稿１３０１に転写される。更に、転写部１５は、原稿１３０１を定着部５０に搬送する。定着部５０では、回転可能な加熱ローラ５１からの熱と、加熱ローラ５１と対向し、回転可能な加圧ローラ５２の圧力が、トナー画像を原稿１３０１に定着させる。トナー画像を定着された原稿１３０１は、排紙ローラ６０に搬送される。片面印刷の場合、排紙ローラ６０は原稿１３０１をそのまま機外へ搬送し、原稿１３０１は第１排紙部７０に積載される。図１５に示す原稿１３０７は、機外へ搬送された印刷物の例である。枠１３０２は赤で、枠内の名前１３０５は赤字で印字され、枠１３０３は黒で、枠内のＩＤ番号１３０６は黒で印字されている。
【００６０】
以上説明したように本実施例によれば、上記第１の実施例と同様に、読取原稿に印刷できるような搬送経路を有することにより、プレプリント用紙内の枠の色に応じて、印刷する画像の色を的確に変換して印刷することができる。つまり、異なる複数種類のプレプリント用紙を必要部数混在して原稿読み取り用給紙部にセットするだけで、読取原稿（プレプリント用紙）の枠と同一のカラー属性で印刷可能で、ユーザの手間をかけず作業効率を落とさない印刷装置を提供することができる。
【００６１】
＜その他の実施例＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2013236187.tif 000003
【図２】
2013236187.tif 000004
【図３】
2013236187.tif 000005
【図４】
2013236187.tif 000006
【図５】
2013236187.tif 000007
【図６】
2013236187.tif 000008
【図７】
2013236187.tif 000009
【図８】
2013236187.tif 000010
【図９】
2013236187.tif 000011
【図１０】
2013236187.tif 000012
【図１１】
2013236187.tif 000013
【図１２】
2013236187.tif 000014
【図１３】
2013236187.tif 000015
【図１４】
2013236187.tif 000016
【図１５】
2013236187.tif 000017